(57)【要約】【課題】電気泳動表示パネルを備えた時刻表示装置であって、電気泳動表示パネルの表示特性の劣化が回避可能な、時間精度測定モードを有した時刻表示装置の提供。【解決手段】時間精度測定モードでは、タイミングＭ１０で、書き換え期間Ｔａ（前半Ｔａ１、後半Ｔａ２）において、表示の書き換えが行われ、セグメント５ＸＡに相当するセグメント５Ｄ（図２参照）が、黒で表示され、休止期間Ｔｂ’後、タイミングＭ２０からタイミングＭ３０までの期間Ｔｃにおいて、駆動信号ＳＥＧ１，ＳＥＧ２，ＳＥＧ３及び駆動信号ＣＯＭにより、各セグメント電極１４（図４参照）と共通電極２５（図４参照）とに、互いに同相且つ同電位の第１の駆動電圧（０Ｖ）と、互いに同相且つ同電位であって第１の駆動電圧と異なる電位の第２の駆動電圧（＋１２Ｖ）とが、基準信号ＣＬに同期して、交互に繰り返して印加される。【選択図】図７
2010223876.tif 000002
【特許請求の範囲】
【請求項１】
対向する電極間に電気泳動素子を有する電気泳動表示パネルと、
前記両電極に前記電気泳動素子を駆動する駆動電圧を印加して前記電気泳動表示パネルの表示を制御し、少なくとも時刻を表示させる表示制御部と、
前記時刻の基準となる時間標準源と、を備え、
前記時間標準源から生成された基準信号に同期して、前記表示制御部が前記両電極に、互いに同相且つ同電位の第１の駆動電圧と、互いに同相且つ同電位であって前記第１の駆動電圧の電位と異なる電位の第２の駆動電圧とを交互に印加する、時間精度測定モードを有していることを特徴とする時刻表示装置。
【請求項２】
請求項１に記載の時刻表示装置において、前記電気泳動表示パネルがセグメント表示パネルまたはアクティブマトリクス表示パネルであることを特徴とする時刻表示装置。
【請求項３】
請求項１または２に記載の時刻表示装置において、前記時間精度測定モードでは、前記電気泳動表示パネルに、前記時間精度測定モードであることを示す情報が表示されていることを特徴とする時刻表示装置。
【請求項４】
請求項１〜３のいずれか一項に記載の時刻表示装置において、前記時間精度測定モードでは、所定の周期で、前記電気泳動表示パネルの表示の書き換えが行われることを特徴とする時刻表示装置。
【請求項５】
請求項１〜４のいずれか一項に記載の時刻表示装置において、前記時間精度測定モードでは、前記電気泳動表示パネルの前記両電極に印加される前記第１の駆動電圧と前記第２の駆動電圧との電位差が、通常の表示状態である通常モードにおける前記駆動電圧間の電位差より、大きいことを特徴とする時刻表示装置。
【請求項６】
対向する電極間に電気泳動素子を有する電気泳動表示パネルと、前記両電極に前記電気泳動素子を駆動する駆動電圧を印加して前記電気泳動表示パネルの表示を制御し、少なくとも時刻を表示させる表示制御部と、前記時刻の基準となる時間標準源と、を備えた時刻表示装置の駆動方法であって、
前記時刻表示装置が、時間精度測定モードを有し、
通常の表示状態である通常モードから前記時間精度測定モードに移行する第１工程と、
前記時間精度測定モードにおいて、前記時間標準源から生成された基準信号に同期して、前記表示制御部が前記両電極に、互いに同相且つ同電位の第１の駆動電圧と、互いに同相且つ同電位であって前記第１の駆動電圧の電位と異なる電位の第２の駆動電圧とを交互に印加する第２工程と、
前記時間精度測定モードから前記通常モードに移行する第３工程と、を有することを特徴とする時刻表示装置の駆動方法。
【発明の詳細な説明】
【技術分野】
【０００１】
本発明は、電気泳動表示パネルを用いた時刻表示装置及び時刻表示装置の駆動方法に関する。
【背景技術】
【０００２】
近年、電気泳動現象を利用した電気泳動表示パネルを備えた表示装置が提案されている。
この種の電気泳動表示パネルは、電極間に、例えば白色と黒色の電気泳動粒子を封入した電気泳動層（以下、電気泳動素子ともいう）を設け、電極間にプラス電位またはマイナス電位の駆動電圧を印加することにより、白黒の電気泳動粒子のいずれかを表示面側へ移動させ、表示面の表示色を白や黒にすることができる。
上記の電気泳動表示パネルを備えた表示装置は、腕時計などの時刻表示装置としても用いられている（例えば、特許文献１参照）。
【先行技術文献】
【特許文献】
【０００３】
【特許文献１】特開２００７−７９１７０号公報
【発明の概要】
【発明が解決しようとする課題】
【０００４】
ところで、時刻表示装置には、表示された時刻の進み遅れの程度である時間精度を、クオーツテスターなどと呼ばれる時間精度測定器によって測定するための時間精度測定モード（歩度測定モードなどともいう）を備えているものがある。
例えば、液晶表示パネルを備えた時刻表示装置では、この時間精度測定モードにおいて、時間精度測定用に安定した電界を継続して発生させるために、通常表示状態である通常モードに移行されるまでの間、すべての電極間に互いに逆相の交流駆動電圧が印加され続けることにより、全表示部分が継続して点灯されている。
【０００５】
しかし、電気泳動表示パネルでは一般に表示の書き換え時に対向する電極に互いに逆相と同相交互の駆動電圧を印加する。
そのため、上記の時間精度測定モードのような連続的な駆動を、電気泳動表示パネルを備えた時刻表示装置に適用すると、以下のような問題が発生する虞がある。
（１）本来、表示の保持性により、表示の書き換え時のみに駆動電圧の印加が必要な電気泳動表示パネルの対向する電極に、互いに逆相と同相交互の駆動電圧が印加され続けて、全表示部分が継続して表示されていると、焼き付きのような状態となり、電気泳動表示パネルの応答性、コントラストなどの表示特性（以下、単に表示特性という）が著しく劣化する。
（２）１つの電極に同方向の駆動電圧が断続的に印加され続けて、各表示部分が白または黒などの同一色で継続して表示駆動されていると、電気泳動表示パネルのＤＣバランスが崩れて、電極を構成している例えば、ＩＴＯ（Indium-Tin-Oxide）膜などの透明電極が腐食され、電気泳動表示パネルの表示特性が著しく劣化する。
【課題を解決するための手段】
【０００６】
本発明は、上記課題の少なくとも一部を解決するためになされたものであり、以下の形態または適用例として実現することが可能である。
【０００７】
［適用例１］本適用例にかかる時刻表示装置は、対向する電極間に電気泳動素子を有する電気泳動表示パネルと、前記両電極に前記電気泳動素子を駆動する駆動電圧を印加して前記電気泳動表示パネルの表示を制御し、少なくとも時刻を表示させる表示制御部と、前記時刻の基準となる時間標準源と、を備え、前記時間標準源から生成された基準信号に同期して、前記表示制御部が前記両電極に、互いに同相且つ同電位の第１の駆動電圧と、互いに同相且つ同電位であって前記第１の駆動電圧の電位と異なる電位の第２の駆動電圧とを交互に印加する、時間精度測定モードを有していることを特徴とする。
【０００８】
これによれば、時刻表示装置は、時間標準源から生成された基準信号に同期して、表示制御部が両電極に、互いに同相且つ同電位の第１の駆動電圧と、互いに同相且つ同電位であって第１の駆動電圧の電位と異なる電位の第２の駆動電圧とを交互に印加する、時間精度測定モードを有している。
このことから、時刻表示装置は、時間精度測定モードにおいて、電気泳動表示パネルの両電極間に電位差が生じないことにより、上記の焼き付きのような状態や、ＤＣバランスの崩れによるＩＴＯ膜などの透明電極の腐食が抑制され、電気泳動表示パネルの表示特性の劣化を回避できる。
加えて、時刻表示装置は、電気泳動表示パネルの両電極に、第１の駆動電圧と、第１の駆動電圧の電位と異なる電位の第２の駆動電圧とを交互に印加することから、電気泳動表示パネル全体としては、第１の駆動電圧の電位と第２の駆動電圧の電位との電位差により電界が発生する。
これにより、時刻表示装置は、時間精度測定モードにおいて、時間精度測定器による時間精度測定が可能となる。
【０００９】
［適用例２］上記適用例にかかる時刻表示装置は、前記電気泳動表示パネルがセグメント表示パネルまたはアクティブマトリクス表示パネルであることが好ましい。
【００１０】
これによれば、時刻表示装置は、電気泳動表示パネルがセグメント表示パネルまたはアクティブマトリクス表示パネルであることから、多様な表示の形態が選択可能となる。
【００１１】
［適用例３］上記適用例にかかる時刻表示装置は、前記時間精度測定モードでは、前記電気泳動表示パネルに、前記時間精度測定モードであることを示す情報が表示されていることが好ましい。
【００１２】
これによれば、時刻表示装置は、時間精度測定モードにおいて、時間精度測定モードであることを示す情報が表示されていることから、時間精度測定モードであることを、より確実に周知できる。
【００１３】
［適用例４］上記適用例にかかる時刻表示装置は、前記時間精度測定モードでは、所定の周期で、前記電気泳動表示パネルの表示の書き換えが行われることが好ましい。
【００１４】
これによれば、時刻表示装置は、時間精度測定モードにおいて、所定の周期で、電気泳動表示パネルの表示の書き換えが行われることから、電気泳動表示パネルの表示状態の劣化を回避できる。
【００１５】
［適用例５］上記適用例にかかる時刻表示装置は、前記時間精度測定モードでは、前記電気泳動表示パネルの前記両電極に印加される前記第１の駆動電圧と前記第２の駆動電圧との電位差が、通常の表示状態である通常モードにおける前記駆動電圧間の電位差より、大きいことが好ましい。
【００１６】
これによれば、時刻表示装置は、時間精度測定モードにおいて、両電極に印加される第１の駆動電圧と第２の駆動電圧との電位差が、通常モードにおける駆動電圧間の電位差より大きい。
このことから、時刻表示装置は、電気泳動表示パネル全体に発生する電界が、通常モードより強くなることにより、時間精度測定器による時間精度測定が、より確実に行われる。
【００１７】
［適用例６］本適用例にかかる時刻表示装置の駆動方法は、対向する電極間に電気泳動素子を有する電気泳動表示パネルと、前記両電極に前記電気泳動素子を駆動する駆動電圧を印加して前記電気泳動表示パネルの表示を制御し、少なくとも時刻を表示させる表示制御部と、前記時刻の基準となる時間標準源と、を備えた時刻表示装置の駆動方法であって、前記時刻表示装置が、時間精度測定モードを有し、通常の表示状態である通常モードから前記時間精度測定モードに移行する第１工程と、前記時間精度測定モードにおいて、前記時間標準源から生成された基準信号に同期して、前記表示制御部が前記両電極に、互いに同相且つ同電位の第１の駆動電圧と、互いに同相且つ同電位であって前記第１の駆動電圧の電位と異なる電位の第２の駆動電圧とを交互に印加する第２工程と、前記時間精度測定モードから前記通常モードに移行する第３工程と、を有することを特徴とする。
【００１８】
これによれば、時刻表示装置の駆動方法は、適用例１に記載の効果を奏する。
【図面の簡単な説明】
【００１９】
【図１】第１の実施形態にかかる時刻表示装置としての腕時計の外観構成を示す図。
【図２】腕時計の表示パネルの構成を説明する図。
【図３】腕時計の時刻表示ユニットを模式的に示す断面図。
【図４】表示パネルの構成を説明する断面図。
【図５】時刻表示ユニットの電気的構成を示すブロック図。
【図６】通常モード時の表示制御動作を示すタイミングチャート。
【図７】時間精度測定モード時の表示制御動作を示すタイミングチャート。
【図８】第２の実施形態にかかる時刻表示装置としての腕時計の外観構成を示す図。
【図９】腕時計の表示パネル及び表示駆動回路の構成を示す図。
【図１０】時間精度測定モード時の表示制御動作を示すタイミングチャート。
【図１１】表示パネルの表示例を示す模式図。
【図１２】時間精度測定モード時の別の表示制御動作を示すタイミングチャート。
【発明を実施するための形態】
【００２０】
以下、図面を参照して本発明の実施形態を詳述する。
（第１の実施形態）
図１は、第１の実施形態にかかる時刻表示装置としての腕時計の外観構成を示す図であり、図２は、腕時計の表示パネルの構成を説明する図である。
図１に示すように、腕時計１は、時計ケース２と、この時計ケース２に取り付けられ、使用者の手首に巻き付けられる一対の時計バンド３とを備えている。時計ケース２は、正面に時刻などを表示するための時刻表示窓４が形成され、時刻などを表示する表示パネル５を時刻表示窓４から視認可能に構成されている。
【００２１】
また、時刻表示窓４には、透明樹脂や透明ガラスなどから形成されたカバー体６が嵌め込まれ、このカバー体６により表示パネル５が保護されている。
さらに、時計ケース２には、時刻修正や、通常の表示状態である通常モードから、外部の時間精度測定器を用いた時間精度測定のための時間精度測定モードなどへのモード変更（移行）などの各種指示を行うための操作ボタン８が設けられている。
【００２２】
図２に示すように、表示パネル５には、複数のセグメントにより各種情報を表示するセグメント表示パネルが適用され、この表示パネル５の表示領域５Ｒには、０〜９の数字を表示するためのセグメント（いわゆる７セグメント）５Ａが４列配列されている。
表示パネル５には、左２列のセグメント５Ａにより時刻の「時」が表示され、右２列のセグメント５Ａにより「分」が表示される。また、「時」のセグメント５Ａと「分」のセグメント５Ａとの間には、「時」、「分」の区切りを示す「コロン」を表示するための円形のセグメント５Ｂが配置されている。
【００２３】
また、各セグメント５Ａ，５Ｂのそれぞれには、背景を表示する背景セグメント５Ｃが設けられており、これら背景セグメント５Ｃにより、各セグメント５Ａ，５Ｂにより表示される１文字（数字、コロン）毎に、背景（黒または白の背景）が表示される。
また、表示領域５Ｒの右上部分には、後述する時間精度測定モードの際に、時間精度測定モードであることを示す情報としての文字列状（Ｌ／Ｇ）のセグメント５Ｄが設けられている。
本実施形態では、この表示パネル５に電気泳動表示パネルが用いられており、その詳細な構成については後述する。また、以下の説明において、セグメント５Ａ〜５Ｄのそれぞれを特に区別する必要がないときは、セグメント５Ｘと表記する。
【００２４】
図３は、腕時計の時刻表示ユニットを模式的に示す断面図である。
図３に示すように、上記の時計ケース２内には、表示パネル５と一体的に構成された時刻表示ユニット１０が配置されている。この時刻表示ユニット１０は回路基板１１Ａと、表示枠１１Ｂと、ディスプレイ基板１１Ｃと、透明基板１１Ｄと、これらを保持する回路押さえ１３とを備えている。
ディスプレイ基板１１Ｃは、その上面に、各セグメント５Ａ〜５Ｄに対応するセグメント電極１４と、共通電極用セグメント電極１５とが設けられている。
【００２５】
このディスプレイ基板１１Ｃの下面には、表示枠１１Ｂを介して回路基板１１Ａが配置され、この回路基板１１Ａには、表示制御部としての表示駆動回路４０や制御部５０などを構成する素子１６が実装されている。
上記回路基板１１Ａの上面には、上記素子１６（表示駆動回路４０など）に配線接続された接点１１Ａ１が設けられると共に、上記ディスプレイ基板１１Ｃの下面には、セグメント電極１４、共通電極用セグメント電極１５に配線接続された接点１１Ｃ１が設けられ、これら接点１１Ａ１及び接点１１Ｃ１は、表示枠１１Ｂを貫通する接続コネクター１７を介して導通されている。
【００２６】
さらに、回路基板１１Ａの側面には、スイッチ用電極１８が設けられ、このスイッチ用電極１８は、回路押さえ１３に設けられた板ばね１９を介して導通可能に構成され、この板ばね１９が、上記操作ボタン８の押圧操作によって変形した場合に、この変形した板ばね１９を介して導通する。この導通／非導通は、上記素子１６（本実施形態では制御部５０）によって検出される。
また、上記回路基板１１Ａの下面には、上記素子１６に駆動電力を供給する電池（電源）２０が着脱自在に設けられている。更に、この回路基板１１Ａには、上記素子１６を覆う回路枠２１が固定され、この回路枠２１によって素子１６が保護されている。なお、上記電池２０には、一次電池であるボタン電池が適用されているが、これに限らず、二次電池が適用されてもよい。
【００２７】
上記透明基板１１Ｄは、ディスプレイ基板１１Ｃ側の面に、ＩＴＯ膜などで形成された透明の共通電極２５が設けられ、この透明の共通電極２５とディスプレイ基板１１Ｃのセグメント電極１４との間には、電気泳動素子としての電気泳動層３０が設けられている。  また、共通電極２５と共通電極用セグメント電極１５との間には、共通電極用導通材２６が介挿されている。この共通電極用導通材２６は、例えば、導電性ゴムで形成され、この導電性ゴムが共通電極２５と共通電極用セグメント電極１５との間の間隙に合わせて変形することにより、これら共通電極２５、共通電極用セグメント電極１５間の導通が確実に確保される。
【００２８】
図４は、表示パネルの構成を説明する断面図である。
図４に示すように、電気泳動層３０には、二色の粉末流体方式と呼ばれる構成が適用されている。電気泳動層３０は、複数のマイクロカプセル３１から構成され、これらマイクロカプセル３１には、電気泳動分散液３３が封入されている。
この電気泳動分散液３３には、黒色の電気泳動粒子（以下、黒粒子ともいう）３４と、白色の電気泳動粒子（以下、白粒子ともいう）３５とが混合されている。
これら黒粒子３４及び白粒子３５は、互いに異なる極性に帯電しており、本実施形態では、黒粒子３４がプラスに帯電し、白粒子３５がマイナスに帯電している。
【００２９】
このことから、表示駆動回路４０により共通電極用セグメント電極１５（図３参照）を介して共通電極２５に０Ｖ電位の駆動電圧が印加されると共に、所定のセグメント電極１４にプラス電位の駆動電圧が印加された場合、セグメント電極１４から共通電極２５に向かう電界が発生し、マイクロカプセル３１内のプラスに帯電した黒粒子３４が共通電極２５側に移動し、マイナスに帯電した白粒子３５がセグメント電極１４側に移動する。
この結果、透明基板１１Ｄ側から（矢印Ａ方向）視認されるマイクロカプセル３１が黒色となることから、セグメント５Ｘが黒を表示する。
【００３０】
これとは逆に、表示駆動回路４０により共通電極２５にプラス電位の駆動電圧が印加されると共に、所定のセグメント電極１４に０Ｖ電位の駆動電圧が印加された場合、マイクロカプセル３１内のマイナスに帯電した白粒子３５が共通電極２５側に移動し、プラスに帯電した黒粒子３４がセグメント電極１４側に移動する。
この結果、透明基板１１Ｄ側から視認されるマイクロカプセル３１が白色となることから、セグメント５Ｘが白を表示する。
【００３１】
なお、共通電極２５とセグメント電極１４との間に電位差が生じない場合には、電界が発生せず、黒粒子３４、白粒子３５が移動しないことから、セグメント５Ｘの表示色は変化せずに以前の状態が維持される。
なお、本実施形態では、表示駆動回路４０が昇圧回路を内蔵し、電池２０から供給される電圧（例えば、３Ｖ）を昇圧して＋１２Ｖの電圧を生成して、この＋１２Ｖの電圧、及び０Ｖの電圧を駆動電圧として、セグメント電極１４及び共通電極２５に印加している。
【００３２】
図５は、時刻表示ユニットの電気的構成を示すブロック図である。
制御部５０は、ディスプレイ基板１１Ｃに設けられた配線パターンを介して表示駆動回路４０や電池２０と電気的に接続されている。
この制御部５０は、計時回路５１と、入出力回路（Ｉ／Ｏ）５２と、電圧制御回路５３と、操作制御回路５４と、制御回路５７とを備えている。
【００３３】
計時回路５１は、発振回路５１ａにおける時間標準源としての水晶振動子などの所定の周波数の発振パルスを、分周回路５１ｂで分周し、計時カウンター５１ｃでカウントすることにより時刻を計時するものである。この計時回路５１は、入出力回路５２を介して表示駆動回路４０と接続されている。
電圧制御回路５３は、電池２０からの供給電力を制御部５０内の各部と表示駆動回路４０とに供給するものであり、操作制御回路５４は、上記スイッチ用電極１８の導通／非導通を検出することにより、操作ボタン８の操作を検出し、この検出結果を制御回路５７に通知する。
【００３４】
制御回路５７は、この時刻表示ユニット１０全体を中枢的に制御するものであり、ＣＰＵ（Central Processing Unit）、ＲＯＭ（Read Only Memory）、ＲＡＭ（Random Access Memory）などを有し、ＣＰＵがＲＯＭに記憶された制御プログラムを実行することにより、制御部５０の各部の動作を制御すると共に、入出力回路５２を介して表示駆動回路４０に各種信号を出力する。
表示駆動回路４０は、表示パネル５を駆動する回路であり、制御回路５７の指示の下、計時回路５１により計時されている時刻情報などの情報を取得し、指示された書き換え間隔で表示パネル５の書き換えを行い、時刻などを表示パネル５に表示させる。
【００３５】
ところで、上記制御回路５７は、この腕時計１のモードを、表示パネル５に表示される時刻情報などを時刻の更新間隔（本実施形態では１分間隔としている）で書き換える通常の表示状態である通常モードと、外部の時間精度測定器を用いた時間精度測定のための表示状態である時間精度測定モードとに切り替える機能を有している。
このモードの切り替え（移行）は、使用者による所定の操作ボタン８の所定操作（短押し、長押し、同時押しなど）によって行われる。
【００３６】
ここで、上記各モードにおける腕時計１の駆動方法としての表示制御動作について説明する。
まず、通常モード時の表示制御動作について説明する。
図６は、通常モード時の表示制御動作を示すタイミングチャートである。なお、図６においては、制御回路５７から表示駆動回路４０に対して、表示書き換え指示信号が出力されたタイミングをＭ１とし、Ｍ１から１分経過したタイミングをＭ２とする。
【００３７】
図６においては、共通電極２５に印加される駆動電圧を供給する駆動信号をＣＯＭ、３つのセグメント電極１４のそれぞれに印加される駆動電圧を供給する駆動信号を、それぞれＳＥＧ１，ＳＥＧ２，ＳＥＧ３とする。
また、セグメント電極１４に印加される駆動電圧を供給する各駆動信号を特に区別する必要のないときは、駆動信号ＳＥＧと表記する。
なお、ここでは、３つのセグメント５Ｘのうち、１つ目の表示色が黒に書き換えられ、２つ目の表示色が白に書き換えられ、３つ目の表示色が変化しない場合を説明する。
これらのセグメント５Ｘを互いに区別するために、１つ目をセグメント５ＸＡと表記し、２つ目をセグメント５ＸＢと表記し、３つ目をセグメント５ＸＣと表記する。
【００３８】
図６に示すように、表示書き換え指示信号が表示駆動回路４０に入力されるタイミングＭ１から、次の表示書き換え指示信号が入力されるタイミングＭ２までの間の期間Ｔ（１分）には、書き換え期間Ｔａ及び休止期間Ｔｂが設けられている。
書き換え期間Ｔａは、表示駆動回路４０が共通電極２５及び各セグメント電極１４に対して駆動信号ＣＯＭ、駆動信号ＳＥＧにより駆動電圧を印加して、各セグメント５Ｘの表示色を変化または維持させ、時刻表示を書き換える期間である。
書き換え期間Ｔａは、前半Ｔａ１と後半Ｔａ２とから構成されている。前半Ｔａ１と後半Ｔａ２とは、略等しい長さの期間であり、ＤＣバランスをとるために、前半Ｔａ１と後半Ｔａ２とでは逆の書き換え動作が行われる。
【００３９】
休止期間Ｔｂは、時刻表示の書き換え後に、次の表示書き換え指示信号が入力されるタイミングＭ２まで待機する期間である。表示駆動回路４０は、この休止期間Ｔｂにおいて、その動作状態を省電力状態とする。
また、休止期間Ｔｂにおいては、表示駆動回路４０の駆動信号ＣＯＭ、駆動信号ＳＥＧを出力する出力端がハイインピーダンス状態（ＨＩ−Ｚと表記）となる。
したがって、休止期間Ｔｂにおいては、共通電極２５と各セグメント電極１４との間に電位差が生じることがない。このことから、各セグメント５Ｘの表示色は、書き換え期間Ｔａの後半Ｔａ２における色で維持される。
【００４０】
図６に示すように、書き換え期間Ｔａにおいて、表示色を黒に書き換えるセグメント５ＸＡに対しては、駆動信号ＳＥＧ１により、前半Ｔａ１で０Ｖの駆動電圧を印加して、後半Ｔａ２で＋１２Ｖの駆動電圧を印加する。
また、表示色を白に書き換えるセグメント５ＸＢに対しては、駆動信号ＳＥＧ２により、前半Ｔａ１で＋１２Ｖの駆動電圧を印加し、後半Ｔａ２で０Ｖの駆動電圧を印加する。  また、表示色が変化しないセグメント５ＸＣに対しては、駆動信号ＳＥＧ３により、前半Ｔａ１後半Ｔａ２共、後述する駆動信号ＣＯＭと同一の駆動電圧を印加する。
【００４１】
共通電極２５に対しては、駆動信号ＣＯＭにより、０Ｖの駆動電圧と＋１２Ｖの駆動電圧とを、交互に一定の周期で繰り返すパルス状に印加する。
駆動信号ＣＯＭの１パルスのパルス幅Ｗは、分周回路５１ｂ（図５参照）で生成可能な周期（例えば、１２５ｍｓ，６２．５ｍｓなど）の分周信号に基づいて設定されている。  共通電極２５に対しては、駆動信号ＣＯＭにより、このパルス幅Ｗのパルス列Ｐを用いて、駆動信号ＳＥＧとの間で各セグメント５Ｘの表示色を変化させるのに十分なパルス数の駆動電圧が印加される。
【００４２】
この結果、書き換え期間Ｔａの前半Ｔａ１において、駆動信号ＣＯＭにより共通電極２５に印加される駆動電圧が＋１２Ｖのときには、駆動信号ＳＥＧ１により０Ｖの駆動電圧が印加されているセグメント５ＸＡのセグメント電極１４と共通電極２５との間に電界が発生する。
これにより、黒粒子３４がセグメント電極１４側に移動し、白粒子３５が共通電極２５側に移動して、セグメント５ＸＡの表示色が多少白に変化する。
【００４３】
次に、駆動信号ＣＯＭにより共通電極２５に印加される駆動電圧が０Ｖのときには、駆動信号ＳＥＧ２により＋１２Ｖの駆動電圧が印加されているセグメント５ＸＢのセグメント電極１４と共通電極２５との間に電界が発生する。
これにより、黒粒子３４が共通電極２５側に移動し、白粒子３５がセグメント電極１４側に移動して、セグメント５ＸＢの表示色が多少黒に変化する。
以降、同様にして、駆動信号ＣＯＭにより共通電極２５に印加される駆動電圧の時系列的変化に応じて黒粒子３４、白粒子３５が共通電極２５及びセグメント電極１４との間で少しずつ移動することで、各セグメント５ＸＡ，５ＸＢの表示色が段階的に変化する。
【００４４】
この結果、書き換え期間Ｔａの前半Ｔａ１では、セグメント５ＸＡの表示色が白となり、セグメント５ＸＢの表示色が黒となる。
【００４５】
同様にして、書き換え期間Ｔａの後半Ｔａ２において、駆動信号ＣＯＭにより共通電極２５に印加される駆動電圧が０Ｖのときには、駆動信号ＳＥＧ１により＋１２Ｖの駆動電圧が印加されているセグメント５ＸＡのセグメント電極１４と共通電極２５との間に電界が発生する。
これにより、黒粒子３４が共通電極２５側に移動し、白粒子３５がセグメント電極１４側に移動して、セグメント５ＸＡの表示色が多少黒に変化する。
【００４６】
次に、駆動信号ＣＯＭにより共通電極２５に印加される駆動電圧が＋１２Ｖのときには、駆動信号ＳＥＧ２により０Ｖの駆動電圧が印加されているセグメント５ＸＢのセグメント電極１４と共通電極２５との間に電界が発生する。
これにより、黒粒子３４がセグメント電極１４側に移動し、白粒子３５が共通電極２５側に移動して、セグメント５ＸＢの表示色が多少白に変化する。
以降、同様にして、駆動信号ＣＯＭにより共通電極２５に印加される駆動電圧の時系列的変化に応じて黒粒子３４、白粒子３５が共通電極２５及びセグメント電極１４との間で少しずつ移動することで、各セグメント５ＸＡ，５ＸＢの表示色が段階的に変化する。
【００４７】
この結果、書き換え期間Ｔａの後半Ｔａ２では、セグメント５ＸＡの表示色が黒となり、セグメント５ＸＢの表示色が白となる。
【００４８】
なお、セグメント５ＸＣは、駆動信号ＳＥＧ３により印加される駆動電圧が、駆動信号ＣＯＭにより共通電極２５に印加される駆動電圧と同一であることから、セグメント５ＸＣのセグメント電極１４と共通電極２５との間に電界が発生せず、表示色が変化しない。
【００４９】
そして、書き換え期間Ｔａが経過した後、表示駆動回路４０は、次に表示書き換え指示
信号が入力されるタイミングＭ２まで待機する。
そして、タイミングＭ２で表示書き換え指示信号が入力されると、表示駆動回路４０は、書き換え期間Ｔａにおいて、上記と同様にして、各セグメント５ＸＡ，５ＸＢ，５ＸＣの表示色を変化または維持させることになる。
【００５０】
次に、時間精度測定モード時の表示制御動作について説明する。
図７は、時間精度測定モード時の表示制御動作を示すタイミングチャートである。
[第１工程]
まず、通常モードから時間精度測定モードへは、使用者による所定の操作ボタン８の所定操作によって移行する。
【００５１】
[第２工程]
次に、図７に示すように、時間精度測定モードでは、時間精度測定モードに移行したタイミングＭ１０で、まず、書き換え期間Ｔａにおいて、通常モードと同様の表示制御動作による表示の書き換えが行われる。
このとき、セグメント５ＸＡに相当する時間精度測定モードであることを示すセグメント５Ｄ（図２参照）が、黒で表示される。
【００５２】
次に、休止期間Ｔｂ’の後、タイミングＭ２０から通常モードへ移行するタイミングＭ３０までの期間Ｔｃにおいて、水晶振動子などの発振パルスを分周回路５１ｂで分周して生成された基準信号ＣＬに同期して、表示駆動回路４０によって、各セグメント電極１４と共通電極２５とに、互いに同相且つ同電位の第１の駆動電圧と、互いに同相且つ同電位であって第１の駆動電圧と異なる電位の第２の駆動電圧とが、交互に繰り返して印加される。
なお、ここでは、第１の駆動電圧の電位を０Ｖ、第２の駆動電圧の電位を＋１２Ｖとする。
【００５３】
つまり、期間Ｔｃにおいて、表示駆動回路４０が、駆動信号ＳＥＧ１，ＳＥＧ２，ＳＥＧ３及び駆動信号ＣＯＭにより、各セグメント電極１４と共通電極２５とに印加する駆動電圧を、基準信号ＣＬに同期して、０Ｖの電位と＋１２Ｖの電位とに交互に変化するように設定して、表示パネル５を駆動する。
これにより、期間Ｔｃにおいては、各セグメント電極１４と共通電極２５との間に電位差が生じないことから、すべてのセグメント５Ｘに表示の変化がないことになる。
【００５４】
このとき、表示パネル５全体としては、０Ｖの電位である第１の駆動電圧と、＋１２Ｖの電位である第２の駆動電圧との電位差により電界が発生する。
なお、このときの基準信号ＣＬとしては、１６Ｈｚなどを用いることが好ましい。
【００５５】
[第３工程]
次に、時間精度測定モードから通常モードへは、第１工程と同様に、使用者による所定の操作ボタン８の所定操作によって移行する。なお、時間精度測定モードから通常モードへは、例えば、３分〜１０分程度の所定時間経過後、自動的に移行する設定としてもよい。
【００５６】
上述したように、第１の実施形態の腕時計１は、時間精度測定モードを有し、時間精度測定モードにおいて、基準信号ＣＬに同期して、表示駆動回路４０によって、セグメント電極１４と共通電極２５とに、互いに同相且つ同電位の第１の駆動電圧（０Ｖ）と、互いに同相且つ同電位であって第１の駆動電圧と異なる電位の第２の駆動電圧（＋１２Ｖ）とが、交互に繰り返して印加される。
【００５７】
これによれば、腕時計１は、時間精度測定モードにおいて、表示パネル５のセグメント電極１４と共通電極２５との間に電位差が生じないことにより、前述した焼き付きのような状態や、ＤＣバランスの崩れによる、ＩＴＯ膜などからなる共通電極２５の腐食が抑制され、表示パネル５の表示特性の劣化を回避できる。
加えて、腕時計１は、表示パネル５の両電極に、第１の駆動電圧と、第１の駆動電圧と異なる電位の第２の駆動電圧とを交互に印加することから、表示パネル５全体としては、第１の駆動電圧と第２の駆動電圧との電位差により電界が発生する。
【００５８】
これにより、腕時計１は、時間精度測定モードにおいて、時刻の基準となる時間標準源としての水晶振動子などの発振パルスを分周して生成された基準信号ＣＬに同期して、電界が発生することから、クオーツテスターなどの時間精度測定器による時間精度測定が可能となる。
【００５９】
また、腕時計１は、時間精度測定モードにおいて、時間精度測定モードであることを示すセグメント５Ｄが表示されていることから、時間精度測定モードであることを、使用者らに確実に周知できる。
【００６０】
なお、腕時計１は、時間精度測定モードの期間Ｔｃにおいて、時間精度測定器の測定周期と同期しない所定の周期で、書き換え期間Ｔａと同様に、表示パネル５の表示の書き換えが行われてもよい。
これによれば、腕時計１は、時間精度測定モードの期間Ｔｃにおいて、表示パネル５の表示の書き換えが行われることから、期間Ｔｃが継続され続けることに起因する表示パネル５の表示状態の劣化を回避できる。
【００６１】
また、腕時計１は、時間精度測定モードにおいて、表示パネル５の両電極に印加される第１の駆動電圧と第２の駆動電圧との電位差が、通常の表示状態である通常モードにおける駆動電圧間の電位差（１２Ｖ）より大きくなるように、第２の駆動電圧の電位を＋１２Ｖより高い、例えば、＋１５Ｖ、＋１８Ｖなどとしてもよい。
【００６２】
これによれば、腕時計１は、時間精度測定モードにおける両電極に印加される第１の駆動電圧と第２の駆動電圧との電位差が、通常モードにおける駆動電圧間の電位差より大きい。
このことから、腕時計１は、表示パネル５全体に発生する電界が、通常モードより強くなることにより、時間精度測定器による時間精度測定が、より確実に行われる。
【００６３】
また、腕時計１の駆動方法は、操作ボタン８の所定操作によって通常モードから時間精度測定モードに移行する第１工程と、時間精度測定モードにおいて、表示駆動回路４０が基準信号ＣＬに同期して、各セグメント電極１４と共通電極２５とに、互いに同相且つ同電位の第１の駆動電圧と、互いに同相且つ同電位であって第１の駆動電圧の電位と異なる電位の第２の駆動電圧とを、交互に繰り返して印加する第２工程と、操作ボタン８の所定操作などによって時間精度測定モードから通常モードに移行する第３工程と、を有している。
【００６４】
この腕時計１の駆動方法によれば、腕時計１は、通常モードと時間精度測定モードとの間でモードの移行が可能となり、時間精度測定モードにおいて、クオーツテスターなどの時間精度測定器による時間精度測定が可能となる。
【００６５】
なお、腕時計１は、時間精度測定モードにおいて、書き換え期間Ｔａの書き換えが行われなくてもよい。つまり、腕時計１は、セグメント５Ｄによる時間精度測定モードを示す表示がなくてもよい。
これは、時間精度測定器による時間精度測定が期間Ｔｃで行われることから、セグメント５Ｄによる時間精度測定モードの表示がなくても、時間精度測定上の技術的な支障がないことによる。
なお、時間精度測定モードの表示は、使い勝手の観点においては、あった方が好ましいことはいうまでもない。
【００６６】
（第２の実施形態）
図８は、第２の実施形態にかかる時刻表示装置としての腕時計の外観構成を示す図である。なお、第１の実施形態との共通部分には、同じ符号を付し、その説明を省略する。
【００６７】
図８に示すように、第２の実施形態の腕時計１０１は、表示パネル２０５に、複数のマトリクス状の画素１０２を用いて時刻などの各種情報を画像として表示する、アクティブマトリクス表示パネルが適用されている。
ここでは、第１の実施形態の腕時計１と異なる、表示パネル２０５回りを中心に説明する。
【００６８】
図９は、腕時計の表示パネル及び表示駆動回路の構成を示す図である。図９（ａ）は、全体の構成を示す図であり、図９（ｂ）は、各画素の構成を示す図である。
図９に示すように、表示駆動回路１４０は、走査線駆動回路１０６と、データ線駆動回路１０７と、共通電源変調回路１０８と、コントローラー１１０とを備えている。
【００６９】
表示パネル２０５には、画素１０２が、Ｙ軸方向に沿ってｍ個、Ｘ軸方向に沿ってｎ個のマトリクス状に形成されている。走査線駆動回路１０６は、表示パネル２０５をＸ軸方向に沿って延在する複数の走査線１０４（Ｙ１，Ｙ２，…，Ｙｍ）を介して画素１０２に接続されている。
データ線駆動回路１０７は、表示パネル２０５をＹ軸方向に沿って延在する複数のデータ線１０５（Ｘ１，Ｘ２，…，Ｘｎ）を介して画素１０２に接続されている。
共通電源変調回路１０８は、第１の制御線１１１、第２の制御線１１２、第１の電源線１１３（Ｖｄｄ）、第２の電源線１１４（Ｖｓｓ）、及び共通電極電源配線１１５を介して画素１０２に接続されている。
【００７０】
走査線駆動回路１０６、データ線駆動回路１０７及び共通電源変調回路１０８は、コントローラー１１０により制御されている。なお、表示駆動回路１４０は、制御回路５７（図５参照）により制御されている。
第１の制御線１１１、第２の制御線１１２、第１の電源線１１３、第２の電源線１１４及び共通電極電源配線１１５は、すべての画素１０２において共通配線として用いられている。
【００７１】
画素１０２は、駆動用ＴＦＴ（Thin Film Transistor）１２４と、ＳＲＡＭ（Static Random Access Memory）１２５と、スイッチ回路１３５と、対向する電極としての画素電極１２１及び共通電極１２２と、電気泳動素子としての電気泳動層３０とを備えている。
【００７２】
駆動用ＴＦＴ１２４は、Ｎ−ＭＯＳ（Negative Metal Oxide Semiconductor）で構成されている。駆動用ＴＦＴ１２４のゲート部には、走査線１０４、ソース側にはデータ線１０５、ドレイン側にはＳＲＡＭ１２５がそれぞれ接続されている。
駆動用ＴＦＴ１２４は、走査線駆動回路１０６から走査線１０４を介して選択信号が入力される期間中、データ線１０５とＳＲＡＭ１２５とを接続させることによって、データ線駆動回路１０７から、データ線１０５を介して入力される画像信号をＳＲＡＭ１２５に入力させるために用いられる。
【００７３】
ＳＲＡＭ１２５は２つのＰ−ＭＯＳ（Positive Metal Oxide Semiconductor）１２５ｐ１，１２５ｐ２及び２つのＮ−ＭＯＳ１２５ｎ１，１２５ｎ２によって構成されている。  Ｐ−ＭＯＳ１２５ｐ１，１２５ｐ２のソース側には、第１の電源線１１３が接続され、Ｎ−ＭＯＳ１２５ｎ１，１２５ｎ２のソース側には、第２の電源線１１４が接続されている。
したがって、Ｐ−ＭＯＳ１２５ｐ１及びＰ−ＭＯＳ１２５ｐ２のソース側が、ＳＲＡＭ１２５の高電位電源端子ＰＨであり、Ｎ−ＭＯＳ１２５ｎ１及びＮ−ＭＯＳ１２５ｎ２のソース側がＳＲＡＭ１２５の低電位電源端子ＰＬである。
【００７４】
またスイッチ回路１３５は、第１のトランスファーゲート１３６と第２のトランスファーゲート１３７とを備えている。第１のトランスファーゲート１３６は、Ｐ−ＭＯＳ１３６ｐとＮ−ＭＯＳ１３６ｎとを備えている。第２のトランスファーゲート１３７は、Ｐ−ＭＯＳ１３７ｐとＮ−ＭＯＳ１３７ｎとを備えている。
第１のトランスファーゲート１３６のソース側は、第１の制御線１１１と接続され、第２のトランスファーゲート１３７のソース側は、第２の制御線１１２と接続されている。  第１のトランスファーゲート１３６、第２のトランスファーゲート１３７のドレイン側は、画素電極１２１に接続されている。
【００７５】
ＳＲＡＭ１２５は、駆動用ＴＦＴ１２４のドレイン側と接続された入力端子Ｎ１と、スイッチ回路１３５と接続された第１の出力端子Ｎ２及び第２の出力端子Ｎ３とを備えている。
ＳＲＡＭ１２５のＰ−ＭＯＳ１２５ｐ１のドレイン側及びＮ−ＭＯＳ１２５ｎ１のドレイン側は、ＳＲＡＭ１２５の入力端子Ｎ１として機能する。
入力端子Ｎ１は、駆動用ＴＦＴ１２４のドレイン側と接続されると共に、ＳＲＡＭ１２５の第２の出力端子Ｎ３（Ｐ−ＭＯＳ１２５ｐ２のゲート部及びＮ−ＭＯＳ１２５ｎ２のゲート部）と接続されている。
さらに、第２の出力端子Ｎ３は、第１のトランスファーゲート１３６のＮ−ＭＯＳ１３６ｎのゲート部及び第２のトランスファーゲート１３７のＰ−ＭＯＳ１３７ｐのゲート部に接続されている。
【００７６】
ＳＲＡＭ１２５のＰ−ＭＯＳ１２５ｐ２のドレイン側及びＮ−ＭＯＳ１２５ｎ２のドレイン側は、ＳＲＡＭ１２５の第１の出力端子Ｎ２として機能する。
第１の出力端子Ｎ２は、Ｐ−ＭＯＳ１２５ｐ１のゲート部及びＮ−ＭＯＳ１２５ｎ１のゲート部と接続されると共に、第１のトランスファーゲート１３６のＰ−ＭＯＳ１３６ｐのゲート部及び第２のトランスファーゲート１３７のＮ−ＭＯＳ１３７ｎのゲート部に接続されている。
【００７７】
ＳＲＡＭ１２５は、駆動用ＴＦＴ１２４から送られた画像信号を保持するとともに、スイッチ回路１３５に画像信号を入力するために用いられる。
スイッチ回路１３５は、ＳＲＡＭ１２５から入力された画像信号に基づいて、第１の制御線１１１及び第２の制御線１１２のいずれかを択一的に選択し、画素電極１２１と接続させるセレクターとして機能する。このとき、第１のトランスファーゲート１３６及び第２のトランスファーゲート１３７は、画像信号のレベルに応じて一方のみが動作する。
【００７８】
具体的には、画像信号としてＳＲＡＭ１２５の入力端子Ｎ１にハイレベルが入力されると、第１の出力端子Ｎ２からはローレベルが出力されるので、第１の出力端子Ｎ２に接続されたトランジスターのうち、Ｐ−ＭＯＳ１３６ｐが動作する。
さらに、第２の出力端子Ｎ３（入力端子Ｎ１）と接続されたＮ−ＭＯＳ１３６ｎが動作して、第１のトランスファーゲート１３６が駆動される。
したがって、第１の制御線１１１と画素電極１２１とが電気的に接続される。
【００７９】
一方、画像信号としてＳＲＡＭ１２５の入力端子Ｎ１にローレベルが入力されると、第１の出力端子Ｎ２からはハイレベルが出力されるので、第１の出力端子Ｎ２に接続されたトランジスターのうち、Ｎ−ＭＯＳ１３７ｎが動作する。
さらに、第２の出力端子Ｎ３（入力端子Ｎ１）と接続されたＰ−ＭＯＳ１３７ｐが動作して第２のトランスファーゲート１３７が駆動される。
したがって、第２の制御線１１２と画素電極１２１とが電気的に接続される。
そして、動作した方のトランスファーゲート（第１のトランスファーゲート１３６または第２のトランスファーゲート１３７）を介して、第１の制御線１１１または第２の制御線１１２が画素電極１２１と導通し、画素電極１２１に駆動電圧が印加される。
なお、共通電極１２２は、共通電極電源配線１１５と電気的に接続されている。
【００８０】
電気泳動層３０は、前述したように、画素電極１２１と共通電極１２２との電位差によって、白及び黒の電気泳動粒子を移動させて画像を表示させるものである。
ここで、電気泳動層３０の動作の概略を再度説明する。
画素電極１２１と共通電極１２２とに、相対的に共通電極１２２の電位が高くなるように駆動電圧を印加する。すると、図９（ｂ）に示すように、プラスに帯電した黒粒子３４は、マイクロカプセル３１内で画素電極１２１側に引き寄せられる。
一方、マイナスに帯電した白粒子３５は、マイクロカプセル３１内で共通電極１２２側に引き寄せられる。
この結果、マイクロカプセル３１内の表示面側（共通電極１２２側）には、白粒子３５が集まることになり、表示面にはこの白粒子３５の色（白）が表示されることになる。
なお、ここでの視認方向は、矢印Ｂ方向とする。
【００８１】
逆に、画素電極１２１と共通電極１２２との間に相対的に画素電極１２１の電位が高くなるように駆動電圧を印加する。すると、マイナスに帯電した白粒子３５が画素電極１２１側に引き寄せられる。
一方、プラスに帯電した黒粒子３４は、共通電極１２２側に引き寄せられる。
この結果、マイクロカプセル３１内の表示面側には黒粒子３４が集まることになり、表示面にはこの黒粒子３４の色（黒）が表示されることになる。
【００８２】
ここで、腕時計１０１の駆動方法としての時間精度測定モード時の表示制御動作について説明する。
図１０は、時間精度測定モード時の表示制御動作を示すタイミングチャートである。図１０において、Ｓ１は、第１の制御線１１１の駆動電圧としての電位を示し、Ｓ２は、第２の制御線１１２の駆動電圧としての電位を示し、ＣＯＭは、共通電極電源配線１１５の駆動電圧としての電位を示す。また、ＣＬは、後述する基準信号を示す。
なお、第１工程、第３工程については、第１の実施形態と同様なので説明を省略する。
【００８３】
[第２工程]
図１０に示すように、時間精度測定モードでは、通常モードから時間精度測定モードに移行したタイミングＭ１０で、まず、書き換え期間Ｔａにおいて、通常モードと同様の表示制御動作により、時間精度測定モードであることを示すための表示の書き換えが行われる。
（なお、通常モードでは、下記の書き換え期間Ｔａと休止期間Ｔｂ’とを合わせた期間Ｔ（図６参照）を１分とし、時刻の分の切り替わりに同期して、１分ごとに表示の書き換えが行われる。）
【００８４】
ここでは、画像信号がハイレベルである画素１０２が黒を表示し、画像信号がローレベルである画素１０２が白を表示して、白地に時刻などの各種情報が黒で表示される画像を正画像と定義し、これの白黒表示が逆になった画像を反転画像と定義する。
書き換え期間Ｔａでは、ＤＣバランスをとるために、前半Ｔａ１において反転画像が表示され、後半Ｔａ２において正画像が表示される。
【００８５】
具体的には、書き換え期間Ｔａの前半Ｔａ１において、共通電源変調回路１０８から第１の制御線１１１（Ｓ１）にローレベル（電位：０Ｖ）の駆動電圧を供給する一方、第２の制御線１１２（Ｓ２）にハイレベル（電位：＋１５Ｖ）の駆動電圧を供給する。
このとき、画像信号がハイレベルである画素１０２では、ＳＲＡＭ１２５の第１の出力端子Ｎ２の電位はローレベルであり、第２の出力端子Ｎ３（入力端子Ｎ１）の電位はハイレベルである。したがって、第１のトランスファーゲート１３６が駆動されて、画素電極１２１と第１の制御線１１１とが接続される。これにより、画素電極１２１には、ローレベルの電位の駆動電圧が印加される。
【００８６】
また、共通電極１２２には、共通電源変調回路１０８から共通電極電源配線１１５（ＣＯＭ）を介して、ハイレベル（電位：＋１５Ｖ）の期間とローレベル（電位：０Ｖ）の期間とを、交互に一定周期で繰り返すパルス状の駆動電圧が印加される。
そして、共通電極１２２に印加される駆動電圧の電位がハイレベルのときに、画素電極１２１と共通電極１２２との間に電位差（１５Ｖ）が生じ、白粒子３５は共通電極１２２側に引き寄せられ、黒粒子３４は画素電極１２１側に引き寄せられる。
この結果、画像信号がハイレベルである画素１０２には、白が表示される。
【００８７】
一方、画像信号がローレベルである画素１０２では、ＳＲＡＭ１２５の第１の出力端子Ｎ２の電位はハイレベルであり、第２の出力端子Ｎ３（入力端子Ｎ１）の電位はローレベルである。したがって、第２のトランスファーゲート１３７が駆動されて、画素電極１２１と第２の制御線１１２とが接続される。これにより、画素電極１２１には、ハイレベルの電位の駆動電圧が印加される。
【００８８】
また、共通電極１２２には、共通電源変調回路１０８から共通電極電源配線１１５を介して、ハイレベル（電位：＋１５Ｖ）の期間とローレベル（電位：０Ｖ）の期間とを、交互に一定周期で繰り返すパルス状の駆動電圧が印加される。
そして、共通電極１２２に印加される駆動電圧の電位がローレベルのときに、画素電極１２１と、共通電極１２２との間に電位差（１５Ｖ）が生じ、白粒子３５は画素電極１２１側に引き寄せられ、黒粒子３４は共通電極１２２側に引き寄せられる。
この結果、画像信号がローレベルである画素１０２には、黒が表示される。
以上の表示制御動作により、書き換え期間Ｔａの前半Ｔａ１においては、黒地に白表示の反転画像が表示される。
【００８９】
書き換え期間Ｔａの後半Ｔａ２においては、上記と逆に、共通電源変調回路１０８から第１の制御線１１１にハイレベルの駆動電圧を供給する一方、第２の制御線１１２にローレベルの駆動電圧を供給する。なお、共通電極電源配線１１５には、前半Ｔａ１と同様の駆動電圧が供給される。
これにより、画像信号がハイレベルである画素１０２では、画素電極１２１に第１の制御線１１１を介してハイレベルの電位の駆動電圧が印加され、画像信号がローレベルである画素１０２では、第２の制御線１１２を介して画素電極１２１にローレベルの電位の駆動電圧が印加される。
この結果、書き換え期間Ｔａの後半Ｔａ２においては、各画素１０２の表示色が前半Ｔａ１と逆になり、画像信号がハイレベルである画素１０２に黒が表示され、画像信号がローレベルである画素１０２に白が表示されることで、白地に黒表示の正画像が表示される。
【００９０】
この書き換え期間Ｔａにおいて、図１１の表示パネルの表示例を示す模式図に示すような、時間精度測定モードであることを示す情報としての画像２０５Ｄが、表示パネル２０５に表示される。
なお、図１１では、書き換え期間Ｔａの後半Ｔａ２における正画像表示を示し、時刻（１０：０８）と時間精度測定モードを示す文字列（Ｌ／Ｇ）とが表示されている。
【００９１】
図１０に戻って、書き換え期間Ｔａの終了後、所定の休止期間Ｔｂ’を設ける。
次に、休止期間Ｔｂ’の終了するタイミングＭ２０から、通常モードへ移行するタイミングＭ３０までの期間Ｔｃにおいて、水晶振動子などの発振パルスを、分周回路５１ｂ（図５参照）で分周して生成された基準信号ＣＬに同期して、表示駆動回路１４０によって、画素電極１２１と共通電極１２２とに、互いに同相且つ同電位の第１の駆動電圧と、互いに同相且つ同電位であって第１の駆動電圧と異なる電位の第２の駆動電圧とが、交互に繰り返して印加される。
なお、ここでは、第１の駆動電圧の電位を０Ｖ、第２の駆動電圧の電位を＋１５Ｖとする。
【００９２】
つまり、表示駆動回路１４０は、共通電源変調回路１０８から第１の制御線１１１、第２の制御線１１２及び共通電極電源配線１１５に、ローレベル（電位：０Ｖ）の第１の駆動電圧と、ハイレベル（電位：＋１５Ｖ）の第２の駆動電圧とを、基準信号ＣＬに同期して、交互に繰り返して供給する。
この結果、期間Ｔｃにおいては、各画素１０２に対する画像信号のレベル状態（ハイレベルまたはローレベル）にかかわらず、画素電極１２１に印加される駆動電圧と共通電極１２２に印加される駆動電圧との間に電位差が生じない。
したがって、期間Ｔｃにおいては、すべての画素１０２に表示の変化がないことになる。
【００９３】
このとき、表示パネル２０５全体としては、第１の駆動電圧と第２の駆動電圧とが、基準信号ＣＬに同期して、交互に繰り返して印加されることから、０Ｖの電位である第１の駆動電圧と、＋１５Ｖの電位である第２の駆動電圧との電位差（１５Ｖ）により、基準信号ＣＬに同期して電界が発生する。
【００９４】
これにより、第２の実施形態の腕時計１０１は、第１の実施形態の腕時計１と同様に、時間精度測定モードにおいて、焼き付きのような状態や、ＤＣバランスの崩れによる共通電極１２２の腐食が抑制され、表示パネル２０５の表示特性の劣化を回避できると共に、クオーツテスターなどの時間精度測定器による時間精度測定が可能となる。
なお、基準信号ＣＬとしては、第１の実施形態と同様に、１６Ｈｚなどを用いることが好ましい。
【００９５】
また、上述したように、腕時計１０１は、期間Ｔｃにおいては、各画素１０２に対する画像信号のレベル状態にかかわらず、画素電極１２１に印加される駆動電圧と共通電極１２２に印加される駆動電圧との間に電位差が生じない。
これにより、腕時計１０１は、期間Ｔｃにおいて、各画素１０２に対する駆動用ＴＦＴ１２４からの画像信号を送信不要とすることもできる。
【００９６】
なお、例えば、休止期間Ｔｂ’において、すべての画素１０２の画像信号をハイレベルまたはローレベルにしたときには、図１２の時間精度測定モード時の別の表示制御動作を示すタイミングチャートのような、表示制御動作を行ってもよい。
【００９７】
詳述すると、すべての画素１０２の画像信号をハイレベルにしたときには、図１２（ａ）に示すように、期間Ｔｃにおいて、共通電源変調回路１０８から第１の制御線１１１及び共通電極電源配線１１５のみに、第１の駆動電圧と第２の駆動電圧とを、基準信号ＣＬに同期して、交互に繰り返して供給してもよい。
【００９８】
これによれば、画素１０２の画像信号がハイレベルのときには、上述したように、画素電極１２１と第１の制御線１１１とが接続されるので、第２の制御線１１２に供給される駆動電圧の電位（ここでは、０Ｖ）にかかわらず、画素電極１２１に印加される駆動電圧と共通電極１２２に印加される駆動電圧との間に電位差が生じない。
このことから、腕時計１０１は、期間Ｔｃにおいて、表示パネル２０５の表示が変化しないことになる。
【００９９】
一方、すべての画素１０２の画像信号をローレベルにしたときには、図１２（ｂ）に示すように、期間Ｔｃにおいて、共通電源変調回路１０８から第２の制御線１１２及び共通電極電源配線１１５のみに、第１の駆動電圧と第２の駆動電圧とを、基準信号ＣＬに同期して、交互に繰り返して供給してもよい。
【０１００】
これによれば、画素１０２の画像信号がローレベルのときには、上述したように、画素電極１２１と第２の制御線１１２とが接続されるので、第１の制御線１１１に供給される駆動電圧の電位（ここでは、０Ｖ）にかかわらず、画素電極１２１に印加される駆動電圧と共通電極１２２に印加される駆動電圧との間に電位差が生じない。
このことから、腕時計１０１は、期間Ｔｃにおいて、表示パネル２０５の表示が変化しないことになる。
【０１０１】
なお、図９（ｂ）に示した腕時計１０１の各画素の構成（回路構成）には、９Ｔ方式と呼ばれる方式が適用されているが、時間精度測定モードにおける表示制御動作が、上記と同様に行われるものであれば、例えば、１Ｔ方式と呼ばれる方式など、他の方式が適用されてもよい。
【０１０２】
なお、腕時計１０１は、時間精度測定モードにおいて、時間精度測定モードを示す文字列（Ｌ／Ｇ）が表示されることにより、使用者らに時間精度測定モードであることを確実に周知できるが、第１の実施形態と同様の理由から、時間精度測定モードにおいて、書き換え期間Ｔａを設けずに、文字列（Ｌ／Ｇ）が表示されなくてもよい。
また、腕時計１０１は、第１の実施形態と同様に、時間精度測定モードでは、期間Ｔｃにおいて、書き換え期間Ｔａで行われるような表示パネル２０５の表示の書き換えが、時間精度測定器の測定周期と同期しない所定の周期で行われてもよい。
【０１０３】
また、腕時計１０１は、第１の実施形態と同様に、時間精度測定モードにおいて、表示パネル２０５の両電極に印加される第１の駆動電圧と第２の駆動電圧との電位差が、通常モードにおける駆動電圧間の電位差（ここでは、１５Ｖとする）より大きくなるように、第２の駆動電圧の電位を＋１５Ｖより高い、例えば、＋１８Ｖなどとしてもよい。
これらによれば、腕時計１０１は、第１の実施形態の腕時計１と同様の効果を得ることができる。
【０１０４】
また、上記各実施形態において、表示パネル５，２０５にセグメント表示パネルまたはアクティブマトリクス表示パネルが用いられていることから、腕時計１，１０１は、時間精度測定器による時間精度測定を可能としつつ、多様な表示の形態を選択できる。
なお、時刻表示装置としては、腕時計に限定するものではなく、置時計や時刻表示機能を備えた携帯電話機、携帯音楽プレーヤー、携帯ゲーム機、電子式卓上計算機、電子辞書、電子手帳、電子ビューワー、デジタルカメラなどでもよい。
【符号の説明】
【０１０５】
ＣＬ…基準信号、ＣＯＭ，ＳＥＧ１，ＳＥＧ２，ＳＥＧ３…駆動信号、Ｍ１０，Ｍ２０，Ｍ３０…タイミング、Ｐ…パルス列、Ｔａ…書き換え期間、Ｔａ１…書き換え期間の前半、Ｔａ２…書き換え期間の後半、Ｔｂ’…休止期間、Ｔｃ…Ｍ２０からＭ３０までの期間、Ｗ…パルス幅。
【図１】
2010223876.tif 000003
【図２】
2010223876.tif 000004
【図３】
2010223876.tif 000005
【図４】
2010223876.tif 000006
【図５】
2010223876.tif 000007
【図６】
2010223876.tif 000008
【図７】
2010223876.tif 000009
【図８】
2010223876.tif 000010
【図９】
2010223876.tif 000011
【図１０】
2010223876.tif 000012
【図１１】
2010223876.tif 000013
【図１２】
2010223876.tif 000014